(57)【要約】      （修正有）【課題】所望の長さや形状に容易に切断することができるマグネットシートを提供する。【解決手段】マグネットシートは、片面が粘着面３となったマグネットシート本体２と、前記粘着面３に貼着された剥離紙４を備え、剥離紙４のマグネットシート本体２と反対側の面に方眼模様５を施す。この構成により、マグネットシート１を所望の長さや所望の形状に切断する際には、方眼模様５を目安にすることができる。また、前記剥離紙４のマグネットシート本体２と反対側の面に、前記方眼模様５が有する罫線７の基準線からの距離を示す表示が施されることが好ましい。このようにすると、利用者は表示を見て任意の罫線７の基準線からの距離を容易に認識することができる。【選択図】図１
0003169220.tif 000002
【実用新案登録請求の範囲】
【請求項１】
片面が粘着面となったマグネットシート本体と、前記粘着面に貼着された剥離紙を備え、剥離紙のマグネットシート本体と反対側の面に方眼模様が施されたことを特徴とするマグネットシート。
【請求項２】
前記剥離紙のマグネットシート本体と反対側の面に、前記方眼模様が有する罫線の基準線からの距離を示す表示が施されたことを特徴とする請求項１に記載マグネットシート。
【考案の詳細な説明】
【技術分野】
【０００１】
本考案は、マグネットシート本体の粘着面に剥離紙が貼着されたマグネットシートに関する。
【背景技術】
【０００２】
従来、紙、木、プラスチック等の非磁性体に貼り付けられるように片面を粘着面としたマグネットシート本体と、粘着面にゴミ等が付着して粘着性能が低下することを防止するために粘着面に貼着された剥離紙とを備えたマグネットシートが利用されている（例えば特許文献１）。
【先行技術文献】
【特許文献】
【０００３】
【特許文献１】特開平７−３１００６２
【考案の概要】
【考案が解決しようとする課題】
【０００４】
ところで、上記マグネットシートは、貼り付けの対象となる物の形状や利用方法等に応じて所望の長さや形状になるように切り取って利用する場合があるが、マグネットシートを正確に所望の長さや形状に切断するには寸法を測る等する必要があり、煩雑である。また、マグネットシートには目安となるものが殆ど存在しないので、特にマグネットシートを鋏等を用いて直線状に切断する作業は容易ではない。さらに、切断後に残ったマグネットシートを利用する場合等には、当該マグネットシートから所望の長さや形状のマグネットシートを切り出せるか否かの判断するために寸法を測る必要があり、この点でも煩わしい。
【０００５】
本考案は上記事情に鑑みてなされたものであって、所望の長さや形状に容易に切断することができるマグネットシートを提供することを課題とする。
【課題を解決するための手段】
【０００６】
上記課題を解決するために本考案のマグネットシートは、片面が粘着面３となったマグネットシート本体２と、前記粘着面３に貼着された剥離紙４を備え、剥離紙４のマグネットシート本体２と反対側の面に方眼模様５が施されたことを特徴とする。この構成により、マグネットシート１を所望の長さや所望の形状に切断する際には、方眼模様５を目安にすることができる。
【０００７】
また、前記剥離紙４のマグネットシート本体２と反対側の面に、前記方眼模様５が有する罫線７の基準線１０からの距離ｄ１を示す表示９が施されることが好ましい。このようにすると、利用者は表示９を見て任意の罫線７の基準線１０からの距離ｄ１を容易に認識することができる。
【考案の効果】
【０００８】
請求項１に係る考案にあっては、方眼模様を目安にして、マグネットシートを所望の長さや所望の形状に容易に切断することができる。
【０００９】
また、請求項２に係る考案にあっては、前記請求項１の効果に加えて、表示を見て任意の罫線の基準線からの距離を容易に認識することができ、マグネットシートの切断作業が一層容易になる。また、マグネットシートを切り取った場合、残りのマグネットシートの表示を視て当該残りのマグネットシートの長さや量を簡単に把握できる。
【図面の簡単な説明】
【００１０】
【図１】第一実施形態のマグネットシートを示し、剥離紙の一部を剥した状態を示す底面図である。
【図２】第二実施形態のマグネットシートの底面図である。
【図３】他例のマグネットシートの底面図である。
【図４】更に他例のマグネットシートの底面図である。
【考案を実施するための形態】
【００１１】
以下、本考案を添付図面に基づいて説明する。
【００１２】
（第一実施形態）
本実施形態のマグネットシート１は、図１に示すように、片面が粘着面３となったマグネットシート本体２と、粘着面３に貼着された剥離紙４とで構成されている。
【００１３】
マグネットシート本体２は、マグネットの粉末を混合した可撓性を有するゴムシートであって、鋏やカッターを用いて容易に切断することができる。マグネットシート本体２は帯状に形成され、その着磁面と反対側の面には全体に亘って粘着剤が塗布されており、この面が粘着面３になっている。
【００１４】
剥離紙４はマグネットシート本体２と同じ帯状に形成されている。剥離紙４はその表面がマグネットシート本体２の粘着面３の全体に亘って貼着されており、この剥離紙４により粘着面３にゴミ等が付着して粘着性能が低下することが防止されている。
【００１５】
剥離紙４の裏面（マグネットシート本体２と反対側の面）には、方眼模様５が印刷により施されている。方眼模様５は、剥離紙４の長手方向と平行な多数の罫線６と、剥離紙４の幅方向と平行で罫線６と直交する多数の罫線７で構成されており、剥離紙４の裏面の全体に亘って設けられている。そして、これら剥離紙４に施された罫線６，７によって、剥離紙４の裏面には連続する多数の方眼（正方形状の升目）が表されている。
【００１６】
剥離紙４の方眼模様５が施された面には、文字や記号で表された表記８が印刷により施されている。表記８としては、例えば「はがしてください」といった使用方法を示すものや、「フロッピーディスクやカセットテープなど、磁気の影響を受けやすいものに近づけないでください」といった注意書きが施される。表記８は、帯状のマグネットシート１が長手方向及び幅方向のいずれの方向に切断された場合にも、切り残されたマグネットシート１の剥離紙４にできるだけ残るように、マグネットシート１の長手方向及び幅方向に亘って多数設けられている。
【００１７】
マグネットシート１は、マグネットシート本体２から剥離紙４を剥離することで、マグネットシート本体２の粘着面３を露出させることができる。そして、この粘着面３を紙、木、プラスチック等の非磁性体に貼り付けることで、非磁性体に取り付けて利用することができる。
【００１８】
マグネットシート１は、貼り付けの対象となる物の形状や利用方法等に応じて所望の長さや形状に切り取って使用することもできる。マグネットシート１の切断は、鋏やカッターを用いて剥離紙４ごとマグネットシート本体２を切ることで行われる。マグネットシート１の切断の際には、例えば方眼模様５の罫線６，７を数えて寸法の目安にしたり、方眼模様５の罫線６，７を見て平行や直角の目安にする等して行う。
【００１９】
以上説明したマグネットシート１は、剥離紙４のマグネットシート本体２と反対側の面に方眼模様５が施されている。このため、方眼模様５を目安にすることで、マグネットシート１を所望の長さや所望の形状に容易に切断することができる。また、切断後に残ったマグネットシート１を利用する場合等にも、剥離紙４に施された方眼模様５を利用して、当該マグネットシート１から所望の長さや形状のマグネットシート１を切り出せるか否かの判断を容易に行うことができる。
【００２０】
（第二実施形態）
次に上記とは異なる実施形態を以下に示す。なお、本実施形態は、図２のように剥離紙４の裏面に罫線７の基準線１０からの距離ｄ１を表す表示９が付された点が第一実施形態と異なるものであり、以下の説明では第一実施形態と同一の構成については同一の番号を付与し、重複する説明は省略する。
【００２１】
図２に示す本実施形態のマグネットシート１は、長さ３０ｃｍ、幅１０ｃｍのシートであって、剥離紙４の長手方向と平行な罫線６が剥離紙４の両長辺間に５ｍｍ間隔で均等に配置されており、剥離紙４の幅方向と平行な罫線７が剥離紙４の両短辺間に５ｍｍ間隔で均等に配置されている。
【００２２】
罫線６、７には、主罫線１２と、主罫線１２よりも線幅の小さい副罫線１３がある。主罫線１２は一定間隔（図示例では５ｃｍ）おきに施されており、副罫線１３は隣り合う主罫線１２の間、及び主罫線１２と対応する剥離紙４の辺との間の夫々に５ｍｍ間隔で均等に配置されている。
【００２３】
ここで、剥離紙４の一方の短辺を基準線１０としたとき、罫線７のうち、基準線１０からの距離ｄ１が所定間隔ｐ１を整数倍した寸法（すなわち、ｄ１＝ｐ１×ｎ（ｎは１以上の整数））となる罫線７には、基準線１０から当該罫線７までの距離ｄ１を表す表示９が印刷により付されている。図示例ではｐ１を１ｃｍに設定しており、罫線７に１本おきで距離ｄ１を表す１〜２９の丸付き数字を付している。
【００２４】
表示９には、主表示１４と、主表示１４よりも小さく描かれた副表示１５がある。主表示１４は罫線７において主罫線１２からなる罫線６との交点部分に記されており、副表示１５は罫線７において副罫線１３からなる罫線６との交点部分に記されている。なお、副表示１５は、剥離紙４の一方の長辺を基準線１１としたときに、基準線１１からの距離ｄ２が所定間隔ｐ２（図示例では１ｃｍ）を整数倍した寸法（すなわち、ｄ２＝ｐ２×ｎ（ｎは１以上の整数））となる罫線６にのみ記されている。
【００２５】
このように本実施形態のマグネットシート１は、剥離紙４の裏面に、方眼模様５が有する罫線７の基準線１０からの距離ｄ１を表す表示９が施されている。このため、利用者は表示９を見て任意の罫線７の基準線１０からの距離ｄ１を容易に認識することができ、マグネットシート１の切断作業が一層容易になる。また、例えばマグネットシート１の基準線１０から任意の罫線７までの部分を切り取った場合、残りのマグネットシート１の表示９を視て当該残りのマグネットシート１の長さ量を簡単に把握できるといった利点もある。
【００２６】
なお、表示９は罫線６と罫線７の交点部分の近傍に設けてもよく、すなわち、表示９は、表示９に含まれる数値がいずれの罫線７に属するものであるかを認識できる位置に設けてあればよい。
【００２７】
図２の例では、表示９によって表わされる距離ｄ１の始点である基準線１０を剥離紙４の一方の短辺としたが、基準線１０は１本に限られるものではなく複数本あってもよい。図３の例では、前記剥離紙４の一方の短辺に加えて、該短辺から１０ｃｍおきに施された罫線７（主罫線１２）をも基準線１０としている。
【００２８】
そして、隣り合う基準線１０の間において、１ｃｍおきで配置された罫線７に１〜９の丸付き数字である表示９を付すと共に、基準線１０となる罫線７（主罫線１２）には０の丸付き数字である表示９を付している。このように罫線７も表示９の基準線１０とすることで、表示９によって表される基準線１０からの距離ｄ１を示す数値が大きくならず、マグネットシート１の種々の寸法を容易に認識することができる。
【００２９】
なお、図２及び図３の例では、表示９を丸付き数字としたが、基準線１０からの距離ｄ１を表す数値を含むものであれば、その他の表現で距離ｄ１を表してもよい。また、罫線７に表示９を添えたが、剥離紙４の長辺や任意の罫線６を基準線１１とし、罫線６に基準線１１からの距離ｄ２を示す表示９を添えてもよい。
【００３０】
また、前記各実施形態では、罫線６，７のピッチを５ｍｍとしたが、これに限定されるものではなく、例えば罫線６，７のピッチを５ｃｍにする等してもよい。また、前記各実施形態では、平らに広がるマグネットシート１としたが、例えば図４のように剥離紙４が表面側に露出するように巻き込んだものにしてもよい。この場合、特に剥離紙４には図２の例のように剥離紙４の短辺を基準線１０として表示９を付すことが好ましい。このようにすると、表示９を見て巻き込まれた残りのマグネットシート１の長さや量を容易に認識することができる。
【符号の説明】
【００３１】
１  マグネットシート
２  マグネットシート本体
３  粘着面
４  剥離紙
５  方眼模様
７  罫線
９  表示
１０  基準線
【図１】
0003169220.tif 000003
【図２】
0003169220.tif 000004
【図３】
0003169220.tif 000005
【図４】
0003169220.tif 000006